(57)【要約】【課題】共用空間を狭めず、共同利用室の個々の利用者の専用空間に好適な個室ユニット及び共同利用室の部屋構造を提供する。【解決手段】複数人で利用する共同利用室内の私用空間に設置される個室ユニットであって、箱状体１を上下方向に２分割して専用空間７をなす２つの個室８を形成する。各個室８には就寝面９を設け、両就寝面９は上下に重なる位置に設定し、２人分の就寝面９による床占有面積を１人分の就寝面面積で済ませる。各個室８の開閉戸１２を同方向に設け、各個室８への通路を１本とする。【選択図】図４
0003182096.tif 000002
【実用新案登録請求の範囲】
【請求項１】
複数人で共同利用する共同利用室内の私用空間に設置される個室ユニットであって、
箱状体を上下方向に２分割して各々独立の専用空間をなす２つの個室を形成し、
各個室には就寝面が備えられ、両就寝面は上下に重なる位置に設定され、
各個室の側面には該個室の出入口及びその開閉戸が設けられ、
上側の個室内に出入りするための梯子が必要に応じて設けられることを特徴とする個室ユニット。
【請求項２】
複数人で共同利用する共同利用室内の私用空間に設置される個室ユニットであって、
箱状体を左右方向に２分割して各々独立の専用空間をなす２つの個室を形成し、
各個室には就寝面が備えられ、両就寝面は上下に重なる位置に設定され、
各個室の側面には該個室の出入口及びその開閉戸が設けられ、
上側に位置する就寝面を備える個室内には、必要に応じてその就寝面に上り下りするための梯子が設けられることを特徴とする個室ユニット。
【請求項３】
請求項１又は２に記載の個室ユニットを、開閉戸が設けられていない面同士を合せて２つ連結してなることを特徴とする個室ユニット。
【請求項４】
複数人で共同利用する共同利用室内に、共同利用される玄関、キッチン及びトイレが配置され、請求項１〜３のいずれか１の項に記載の個室ユニットが前記共同利用室の床面に設置されることを特徴とする共同利用室の部屋構造。
【考案の詳細な説明】
【技術分野】
【０００１】
本考案は、アパート、マンションあるいは戸建て住宅の部屋を複数人で共同して利用する共同利用居住形態において、個々の利用者の専用空間として好適な個室ユニット及びこれを設置した共同利用室の部屋構造に関するものである。
【背景技術】
【０００２】
アパート、マンションあるいは戸建て住宅の部屋を複数人で共同して利用する共同利用居住形態はシェアルームと称され、近年、需要が増大している。
この種の共同利用室は、玄関、通路、キッチン、バス、トイレ、リビング等の共用空間と、個々の利用者の私用空間（専ら就寝をするため、その他、テレビジョン視聴や読書をするためにも利用する、リビングの一部を含むルーム空間。）とからなる。共用空間は共同利用者が共同で利用する空間であるが、私用空間は個々の利用者の専用空間となる。
アパート等に居住することを望む個々の利用者は、多少の不自由さはあっても、１つの部屋又は複数の部屋を有するアパート等を単独で借りるよりは、シェアルームを複数人で借りる方が安価な費用（家賃、水道・光熱費等）で居住できるので割安感がある。これが、シェアルームが都市部、特に駅近くでの需要が増大する理由である。
【０００３】
また、複数の部屋を有するアパート、マンションあるいは戸建て住宅における各部屋を複数人で各々利用する共同利用居住形態はシェアハウスと称され、このシェアハウスもアパート、マンションあるいは戸建て住宅を単独で借りるよりは安価な費用で居住できる。したがって、このシェアハウスの需要も、近年増大している。なお、シェアハウスにおける１部屋も複数人が共同して居住するシェアルームとして利用できる。
【０００４】
上記のようなシェアルームの場合でもシェアハウスの場合でも、利用される共同利用室において、各利用者の私用空間は、上記のように専用空間となるが、この専用空間は、限られた共同利用室内に複数設ける必要があることからコンパクトであることが望ましい。また、部屋内に容易に設置でき、収まりもよいことが求められ、したがって、ユニット化されていることが望まれる。
【０００５】
ところで従来、個室ユニットとしては特許文献１に記載するようなものがあった。
これは、共有室の床上を移動可能な可動床に、少なくとも一部が開閉可能な仕切部材を立設して生活用品を収容可能な個室空間を形成するという個室ユニットである。
【先行技術文献】
【特許文献】
【０００６】
【特許文献１】特開２００３−１０５８６４号公報
【考案の概要】
【考案が解決しようとする課題】
【０００７】
しかしながら上記従来の個室ユニットは、字義通り個人、つまり１人用のユニットである。したがって、この個室ユニットを各利用者の専用空間として共同利用室内（上記共有室の床上）に複数人分設置する場合には、人数分を掛け算した床面積が必要となり、共同利用室内における全個室ユニットの床占有面積が多大となって、共用空間を狭くする。
【０００８】
本考案の課題は、複数人分を少ない床占有面積で構成できて共用空間を狭めず、共同利用室における個々の利用者の専用空間の設置に好適な個室ユニット及び共同利用室の部屋構造を提供することにある。
【課題を解決するための手段】
【０００９】
上記課題を達成するために、請求項１に記載の考案は、複数人で共同利用する共同利用室内の私用空間に設置される個室ユニットであって、箱状体を上下方向に２分割して各々独立の専用空間をなす２つの個室を形成し、各個室には就寝面が備えられ、両就寝面は上下に重なる位置に設定され、各個室の側面には該個室の出入口及びその開閉戸が設けられ、上側の個室内に出入りするための梯子が必要に応じて設けられることを特徴とする。
【００１０】
請求項２に記載の考案は、複数人で共同利用する共同利用室内の私用空間に設置される個室ユニットであって、箱状体を左右方向に２分割して各々独立の専用空間をなす２つの個室を形成し、各個室には就寝面が備えられ、両就寝面は上下に重なる位置に設定され、各個室の側面には該個室の出入口及びその開閉戸が設けられ、上側に位置する就寝面を備える個室内には、必要に応じてその就寝面に上り下りするための梯子が設けられることを特徴とする。
【００１１】
請求項３に記載の考案は、請求項１又は２に記載の個室ユニットを、開閉戸が設けられていない面同士を合せて２つ連結してなることを特徴とする。
【００１２】
請求項４に記載の考案は、複数人で共同利用する共同利用室内に、共同利用される玄関、キッチン及びトイレが配置され、請求項１〜３のいずれか１の項に記載の個室ユニットが前記共同利用室の床面に設置されることを特徴とする。
【考案の効果】
【００１３】
本考案によれば、複数人分を少ない床占有面積で構成できて共用空間を狭めず、共同利用室における個々の利用者の専用空間の設置に好適な個室ユニット及び共同利用室の部屋構造を提供することができる。
【図面の簡単な説明】
【００１４】
【図１】本考案に係る個室ユニットがリビング内に設置された共同利用室の概要を例示する見取り図である。
【図２】本考案の第１実施形態に係る個室ユニットの一例を開閉戸を閉めた状態で示す図で、（ａ）は正面図、（ｂ）はその左側面図、（ｃ）はその平面図である。
【図３】同じく個室ユニットの一例を開閉戸を閉めた状態で示す図で、（ａ）は背面図、（ｂ）はその右側面図、（ｃ）はその平面図である。
【図４】同上第１実施形態に係る個室ユニットを開閉戸を開いた状態で正面側から示す斜視図である。
【図５】同じく開閉戸を開いた状態で背面側から示す斜視図である。
【図６】同上第１実施形態に係る個室ユニットの正面側の寸法説明図である。
【図７】本考案の第２実施形態に係る個室ユニットの一例の概略を開閉戸を閉めた状態で示す図で、（ａ）は正面図、（ｂ）はその平面図、（ｃ）はその斜視図である。
【図８】同上第２実施形態に係る個室ユニットの正面側の寸法説明図である。
【図９】図２〜図６に示す個室ユニットを設置した共同利用室の部屋構造の一実施形態を示す見取り図である。
【図１０】図９中の個室ユニットを取り出して示す斜視図である。
【考案を実施するための形態】
【００１５】
以下、本考案の実施の形態を図面に基づき説明する。なお、各図間において、同一符号は同一又は相当部分を示す。
本考案の個室ユニットは、図１に示すように、複数人で共同利用する玄関１０１、リビング１０２、キッチン１０３、バス１０４及びトイレ１０５等が配置される共同利用室Ｒ内の私用空間（専ら就寝をするため、その他、テレビジョン視聴や読書をするためにも利用する、リビングの一部を含むルーム空間。）に設置される個室ユニット１１０である。
【００１６】
図２〜図８は、本考案の個室ユニットの実施形態を示す。
これら図２〜図８のうち、図２〜図６は第１実施形態に係る４人用個室ユニットαを示すもので、以下、これについて説明する。
第１実施形態は、２人用個室ユニットＡを背中合せに２つ連結して４人用個室ユニットαを構成する実施形態である。
まず、１つの２人用個室ユニットＡについて、図２、図４中の正面側の２人用個室ユニットＡに着目して説明する。
この２人用個室ユニットＡは、基本的には箱状体１を、仕切板２により上下方向に二等分割して各々独立の専用空間７をなす２つの個室８，８を形成してなる。箱状体１及び個室８（専用空間７）は、ここではほぼ直方体状をなす。
【００１７】
ここで、各個室８（専用空間７）は就寝面９を備える。
第１実施形態では、各就寝面９は各個室８（各専用空間７）の床面に設定される。すなわち、２つの就寝面９，９は上下側に重ねて設定される。２人用個室ユニットＡを共同利用室Ｒ（図１参照）内に設置した際に、その２人用個室ユニットＡを利用する１人当たりの床占有面積を節減するためである。なお、上側の個室８の床面は上記仕切板２の上面となる。
【００１８】
また各就寝面９は、各直方体状の個室８の床面の形状に合わせた長方形に設定される。第１実施形態では、各個室８の床面全面が就寝面９として設定され、その就寝面９には各々マット１０（図４参照）が敷設される。個室８の床面全面を就寝面９として設定するのは、居住性（寝心地）のよさと上記床占有面積の節減を両立させるためである。
ここで就寝面９とは、人が寝るために身を横たえる面を指す。第１実施形態では個室８の床面を指すが、この上面にマット１０や寝台（図示せず）が置かれる場合にはそれらの配置面を含む。いずれにしても、２つの就寝面９，９は上下側に重ねて設定される。
【００１９】
また、上下の各個室８の同じ方向に面する側面（正面）５には、各々個室８の出入口１１及びその開閉戸１２が設けられる。各個室８の開閉戸１２を同じ方向に面する側面（正面）５に設ければ、第１実施形態に係る個室ユニットαを共同利用室Ｒ（図１参照）内に設置した場合に、この２人用個室ユニットＡ、１つにつき共通の１本の通路のみで両個室８への出入りが可能となる。
開閉戸１２は、図示例では片引き戸形の開閉戸１２とされているが、これのみに限定されない。
【００２０】
上側の個室８の出入口１１と上記共同利用室Ｒの床面１３（図４参照）との間には、上側の個室８内に出入りするための梯子１４が必要に応じて設けられる。図示例では、実際に梯子１４が設けられている。なお梯子１４は、上側の個室８の出入口１１に上り下り可能であれば、どの位置、どの向きに設けてもよい。
上側の個室８への上り下り時及び下側の個室８への出入り時において、それら上り下りする者、出入りする者の危険防止のために、上側の個室８の出入口１１、開閉戸１２と、下側の個室８の出入口１１、開閉戸１２との位置をずらしてある。例えば、図示するように下側の個室８の出入口１１、開閉戸１２の位置を、上側の個室８への梯子１４の立て掛け位置から横に外した位置としている。
なお図４中の１５は、上側の個室８への上り下りを補助するハンドルである。
【００２１】
上側及び下側の各個室８内には、図示を省略しているが照明器具が装備される。各個室８が形成する専用空間７は、基本的には就寝空間として利用されるが、小規模ながら居住空間としても機能するので、ローボード（背の低い棚や台）やテレビジョンも装備され、更に、パーソナルコンピュータ、エアコンディショナ等を装備させてもよい。
上記ローボードは、各個室８内の例えば就寝面９の枕元近くに相当する位置（就寝面９の長方形状の短辺側の端部）に装備され、このローボード近傍の適宜位置に上記照明器具、テレビジョンが装備される。これとは異なる位置であっても、それら装備品の機能を損なわない限り、どの位置に装備させてもよい。
【００２２】
第１実施形態では、上記のように構成された２人用個室ユニットＡを背中合せに〔開閉戸１２が設けられた側面（正面）５とは反対側の側面（背面）６同士を合せて〕２つ連結して４人用個室ユニットαを構成している。
なお図示例では、個室８の出入口１１、開閉戸１２を、正面側の２人用個室ユニットＡについては右側に（図２、図４参照）、背面側の２人用個室ユニットＡについては左側に（図３、図５参照）配置している。
個室８の出入口１１、開閉戸１２を、正面側及び背面側の２つの２人用個室ユニットＡ，Ａ共に右側又は左側に揃えて配置する構成としてもよく、これによれば、全く同じ構成の２人用個室ユニットＡを２つ用意し、これらを単に背中合せに連結するだけで４人用個室ユニットαを構成できる。
【００２３】
第１実施形態では、上記のように各々上下に個室８が形成された２人用個室ユニットＡ，Ａを正背面に（前後に）連結して４人用個室ユニットαを構成しているので、特に隣接する個室８，８相互間の防音が望まれる。そこで、隣接する個室８，８相互間には防音材（図示せず）が装着されている。具体的には、下側の個室８と上側の個室８との間、及び正面側の個室８と背面側の個室８との間に、各々防音材が装着されている。隣接する個室８，８相互を仕切る仕切板自体に防音機能をもたせてもよい。
【００２４】
図６は、このような４人用個室ユニットαの正面側、すなわち開閉戸１２取付面側の各部寸法の一例を示す図である（背面側の寸法も同様である）。図示するように、第１実施形態に係る４人用個室ユニットαは、高さＨａが約２４０ｃｍ、幅Ｗａが約２００ｃｍに設定されている。
個室８、１つ（１人分）としては、高さＨｐが約１２０ｃｍ、つまり、通常、大人がかがんで出入りできる寸法である。幅Ｗａは約２００ｃｍであって、通常、大人が背を伸ばして就寝できる寸法である。図示しないが、奥行は約１００ｃｍである。
これによると、個室８、１つの当たりの天井高さＨｐは、４人用個室ユニットα全体の高さＨａ寸法を抑えるために、上記のように約１２０ｃｍと低くなって、大人が出入りするのにかがむことになる。また、個室８内においも直立姿勢をとれないが、長方形状の就寝面９の短辺側には個室８の全奥行寸法約１００ｃｍを当てることができる。
【００２５】
以上述べたように第１実施形態（４人用個室ユニットα）によれば、共同利用室Ｒ（図１参照）内に設置された際に、その共同利用室Ｒ内における４人分の就寝面９の床占有面積を２人分の床占有面積で済ますことができ、共同利用室Ｒの共用空間をより広くとることができる。
なお上記の説明では、就寝面９を、個室８の床面（専用空間７の床面）全面に設定したが、その一部、例えば個室８の全奥行寸法約１００ｃｍに対して７０ｃｍ程度にしてもよい。
【００２６】
次に、第２実施形態について説明する。
図７及び図８は第２実施形態に係る２人用個室ユニットβを示す。
図示するように第２実施形態に係る２人用個室ユニットβは、基本的には箱状体６１を、仕切板６３により左右方向に二等分割して各々独立の専用空間７をなす２つの個室８，８を形成してなる。ここでは、箱状体６１はほぼ直方体状をなし、個室８（専用空間７）は縦断面Ｌ字形（逆Ｌ字形）をなす。
【００２７】
２つの個室８，８を仕切る上記仕切板６３は、中間部６３ｃが横方向に向けられ、その上部及び下部が縦方向に向けられた縦断面クランク状に形成されている。
各個室８（専用空間７）は就寝面９を備えるが、上記縦断面クランク状の仕切板６３を境界にして右側の個室８では、上記中間部６３ｃの上面が就寝面９とされる。また、左側の個室８では、上記中間部６３ｃ上面の就寝面９に対応する床面が就寝面９とされる。すなわち２つの就寝面９，９は、上述第１実施形態と同様に上下側に重ねて設定される。本第２実施形態に係る２人用個室ユニットβを共同利用室Ｒ（図１参照）内に設置した際に、その共同利用室Ｒ内における２人分の就寝面９による床占有面積を１人分の就寝面９の面積で済むようにし、２人用個室ユニットβを利用する１人当たりの床占有面積を節減するためである。
また就寝面９は、２つの個室８，８を仕切る仕切板６３の中間部６３ｃの平面視形状、つまり長方形に各々設定され、各就寝面９にはマット１０が敷設される。
隣接する個室８，８相互間には、防音材（図示せず）が装着されている。隣接する個室８，８相互を仕切る仕切板６３自体に防音機能をもたせてもよい。
【００２８】
左右の各個室８の同じ方向に面する側面（正面）６５には、各々個室８の出入口１１及びその開閉戸１２が設けられる。各個室８の開閉戸１２を同じ方向に面する側面（正面）６５に設ければ、第２実施形態に係る２人用個室ユニットβを共同利用室Ｒ（図１参照）内に設置した場合に、共通の１本の通路のみで両個室８への出入りが可能となる。
開閉戸１２は、図示例では片開き戸形の開閉戸１２とされているが、これのみに限定されない。
各開閉戸１２は、各個室８内の長方形に設定された就寝面９に対応する位置から外れた位置に設けられる。図示例では上記長方形の短辺側に対応する位置から外れた左右端側に設けられている。
【００２９】
また、２つの個室８，８のうち、仕切板６３の中間部６３ｃ上面が就寝面９とされる右側の個室８の就寝面９と床面との間には、必要に応じてその右側の個室８の就寝面９に上り下りするための梯子が設けられる。図示例では、実際に梯子１４が設けられている。なお梯子１４は、右側の個室８の就寝面９に上り下り可能であれば、右側の個室８内のどの位置、どの向きに設けてもよい。梯子１４を用いた就寝面９への上り下りを補助するためのハンドル（図示せず）を設けてもよい。
【００３０】
左側及び右側の各個室８内には、図示を省略しているが照明器具が装備される。各個室８が形成する専用空間７は、基本的には就寝空間として利用されるが、小規模ながら居住空間としても機能するので、ローボード（背の低い棚や台）やテレビジョンも装備され、更に、パーソナルコンピュータ、エアコンディショナ等を装備させてもよい。
上記照明器具やテレビジョンは、各個室８内の例えば就寝面９に臨む適宜位置に装備される。これとは異なる位置であっても、照明器具やテレビジョンの機能を損なわない限り、どの位置に装備させてもよい。ローボードは、例えば右側の個室８では床面に、左側の個室８では就寝面９の領域を除いた床面に装備される。これとは異なる位置、例えば就寝面９の長方形状の短辺側に装備させてもよい。
【００３１】
図８は、上記のように構成された２人用個室ユニットβの正面（開閉戸１２取付面）側の各部寸法の一例を示す図である。図示するように、第２実施形態に係る２人用個室ユニットβは、高さＨａが約２４０ｃｍ、幅Ｗａが約２７０ｃｍに設定されている。
個室８、１つ（１人分）としては、最大高さＨｐ（＝Ｈａ）が約２４０ｃｍ（就寝面９部分高さＨｓは約１２０ｃｍ）、最大幅Ｗｐ約１８０ｃｍ（就寝面９部分幅Ｗｓは約９０ｃｍ）である。
上記のように各開閉戸１２は、各個室８内の就寝面９部分に対応する位置（最大高さ約１２０ｃｍの位置）から外れた位置、つまり最大高さ約２４０ｃｍの箇所に設けられる。
これによると、開閉戸１２の寸法を、例えば高さ１８０ｃｍ、あるいはそれ以上の高さとすることができ、通常、大人が立ったまま出入りできる。図示しないが、奥行、つまり就寝面９の長辺側寸法は約２００ｃｍであって、通常、大人が背を伸ばして就寝できる寸法である。
【００３２】
以上述べたように第２実施形態（２人用個室ユニットβ）によれば、共同利用室Ｒ（図１参照）内に設置された際に、その共同利用室Ｒ内における２人分の就寝面９の床占有面積を１人分の床占有面積で済ますことができ、共同利用室Ｒの共用空間をより広くとることができる。
また第２実施形態によれば、個室８の出入口１１と共同利用室Ｒの床面（本個室ユニットβの外部）との間に梯子１４を設ける必要がない。
【００３３】
図９は、本考案の個室ユニット、ここでは第１実施形態に係る個室ユニットαを設置した共同利用室Ｒの部屋構造の一実施形態を示す見取り図である。図１０は、図９中の個室ユニットαを取り出して開閉戸１２を開いた状態で示す斜視図である。
複数人で共同利用する共同利用室Ｒには、図９に示すように、共同利用される玄関８１、リビング８２、キッチン８３、バス又はシャワ（バスと総称する。更衣室が付属する。）８４、トイレ８５及び洗面台８６が配置される。図示例では、冷蔵庫８７、ワードローブ８８も配置されている。共同利用室Ｒ外のバルコニ８９には洗濯機９０が置かれているが、この洗濯機９０も共同利用室Ｒ内に配置してもよい。
【００３４】
このような共同利用室Ｒの個々の利用者の専用空間７として、その共同利用室Ｒの床面１３に個室ユニットαが設置される（図１０にその斜視図を示す）。図示例では、玄関８１に至る通路９１に各開閉戸１２を向けた状態で個室ユニットαが設置される。
【００３５】
個室ユニットαでは、２人用個室ユニットＡの２つの開閉戸１２を同じ方向に面する側面、つまり正面５（図２〜図５参照）に設けている。したがって、共同利用室Ｒ内において、２人用個室ユニットＡの各個室８へ出入りするための通路９１は共通の１本のみで足りる。そして、このような２人用個室ユニットＡを背中合せに２つ連結してなる第１実施形態の個室ユニットα全体では、各個室８へ出入りするための通路９１は図９に示すように２本のみで足りる。
【００３６】
また各２人用個室ユニットＡは、各々２つの就寝面９，９が上下側に重ねて設定されているので、共同利用室Ｒ内に設置された際に、その共同利用室Ｒ内における２人分の就寝面９による床占有面積は１人分の就寝面９の面積で済む。したがって、共同利用室Ｒ内における１人当たりの床占有面積は、１／２に節減される（４人で共同利用しても２人分の就寝面積で足りる）。
以上の効果は、第１実施形態に係る個室ユニットαに代えて第２実施形態に係る個室ユニットβを設置した場合でも発揮できる。
第２実施形態に係る個室ユニットβについても、この個室ユニットβを背中合せに〔図７において、開閉戸１２が設けられた側面（正面）６５とは反対側の側面（背面）６６同士を合せて〕２つ連結して４人用個室ユニットを構成してもよい。
【符号の説明】
【００３７】
１，６１：箱状体、２，６３：仕切板、７：専用空間、８：個室、９：就寝面、１１：出入口、１２：開閉戸、１３：床面、１４：梯子、６３ｃ：仕切板中間部、８１：玄関、８３：キッチン、８４：バス、８５：トイレ、９１：通路、Ａ，β：２人用個室ユニット、α：４人用個室ユニット。
【図１】
0003182096.tif 000003
【図２】
0003182096.tif 000004
【図３】
0003182096.tif 000005
【図４】
0003182096.tif 000006
【図５】
0003182096.tif 000007
【図６】
0003182096.tif 000008
【図７】
0003182096.tif 000009
【図８】
0003182096.tif 000010
【図９】
0003182096.tif 000011
【図１０】
0003182096.tif 000012